Podtech/llm-jp-corpus-v4-ja_patent huggingface dataset:
(57)【要約】      （修正有）【課題】歯科診療における印象採得された印象を直に置くことで変形が生じることを軽減する器具を提供する。【解決手段】印象を盛る為のトレー部分と、柄の部分からなる印象採得トレー２を浮かせた状態で保管するための器具であって、開口部を有する板を鍵型に曲げることにより段差が形成されており、前記開口部は、上端の面に設けられ、かつ、印象採得トレー２の柄の部分を差し込み可能な大きさを有する。【選択図】図２
0003201943.tif 000002
【実用新案登録請求の範囲】
【請求項１】
歯科診療における印象採得された印象材の変形を軽減させるために印象を盛る為のトレーを浮かせる器具
【考案の詳細な説明】
【技術分野】
【０００１】本考案は採得された印象を保管する器材に関するものである。
【背景技術】
【０００２】一般的に患者より採得された印象は直に湿箱におかれ保管される。又は多くのトレーを保管する為のものがある。（特許文献：特開平７−２５０８４９参照）
【先行技術文献】
【０００３】
【特許文献１】  特開平７−２５０８４９
【考案の概要】
【考案が解決しようとする課題】
【０００４】採得された印象を直に置くと、自重による応力が印象に影響し変形が発生することがある。
【課題を解決するための手段】
【０００５】板を加工し、印象トレーを板の穴に差し込むことによって、採得された印象を浮かし、応力がかかるのを防ぐ。
【考案の効果】
【０００６】採得された印象に応力がかからなくなり、変形を軽減できた。
【図面の簡単な説明】
【０００７】
【図１】トレースタンドの形状図
【図２】印象トレーを乗せた状態のトレースタンド
【考案を実施するための形態】
【０００８】開口部をもつ板を鍵型に曲げ、トレーの柄の部分を差し込み、トレーを下面に平行に維持する様にする。
【実施例】
【０００９】添付図面にしたがい説明する。図１板の開口部に図２のように印象採得トレーの柄の部分を差し込み、トレーを接地しないようにし、湿箱に保管する。【００１０】このスタンドに印象採得後のトレーを差し込み、接地しないようにする事で印象の変形を軽減することが出来る。
【産業上の利用可能性】
【００１１】本考案は、印象採得時にトレーに盛られたアルギン酸印象材の変形を軽減するために利用される。
【符号の説明】
【００１２】▲１▼  トレースタンド
▲２▼  印象採得トレー
【図１】
0003201943.tif 000003
【図２】
0003201943.tif 000004
【手続補正書】
【提出日】平成27年10月22日(2015.10.22)
【手続補正１】
【補正対象書類名】実用新案登録請求の範囲
【補正対象項目名】全文
【補正方法】変更
【補正の内容】
【実用新案登録請求の範囲】
【請求項１】
印象を盛る為のトレー部分と、柄の部分からなる印象採得トレーを浮かせた状態で保管するための器具であって、開口部を有する板を鍵型に曲げることにより段差が形成されており、前記開口部は、上端の面に設けられ、かつ、印象採得トレーの柄の部分を差し込み可能な大きさを有することを特徴とする器具。
(57)【要約】      （修正有）【課題】ファンデーション移りが気にならない構造のマスクを提供する。【解決手段】通気性、耐湿性をもつ不織布による多層構造のマスクであって、最裏面に薄いピンクに彩色した布を採用する。【選択図】図２
0003201946.tif 000002
【実用新案登録請求の範囲】
【請求項１】
不織布などで構成されたマスクの裏面が薄いピンクで  使用時顔面のファンデーション移りが目立たないもの。
【考案の詳細な説明】
【技術分野】
【０００１】  従来この用途のマスクは  その本体が通常ガーゼ・不織布など無色な布が一般的だが、女性が使用した場合  その顔面にあるファンデーションが移り  汚れと紛らわしい。
ファンデーション移りが気にならないよう  マスク裏面をピンクとする。
【背景技術】
【０００２】  多層構造の最裏面布にピンク色布を採用する事で  従来の製法・コストと略同様である。
【考案が解決しようとする課題】
【０００３】  ファンデーションも多種多様だが  マスクに転化した時の彩色は何れも大差なく、それと紛れる地色を採用する。
【課題を解決するための手段】
【０００４】  ファンデーションが移り易い布  ファンデーションが移り難い布等  マスクの機能を損ねず  且つ  機能の持続性も加味し  材質の選択に留意せねばならない。
【考案の効果】
【０００５】  このピンク裏マスクを使えば  ファンデーション移りを気にせずに、その本来の機能が損なわれない限り  使用を続ける事が出来、心理的負担を軽減できる。
【考案を実施するための最良の形態】
【０００６】  通気性・耐湿性不織布による多層構造の最裏面に  ファンデーションが移り難く  かつファンデーションが移った場合に類似なピンクに彩色した  布を採用する。
【実施例１】
【０００７】  絣風  薄ピンク様  通気布を最裏面に設えた  多層構造マスク。
【産業上の利用可能性】
【０００８】  勤務中のみでなく  生活上諸状況での女性用マスクとして  オシャレな小道具である。
【図面の簡単な説明】
【０００９】
【図１】不織布など  多層構造のマスク原布加工途中図。
【図２】裏面ピンクマスク  接顔面図。
【符号の説明】
【００１０】１  通気性耐水性不織布基材
２  マスク加工の熔接縫合線
【図１】
0003201946.tif 000003
【図２】
0003201946.tif 000004
【手続補正書】
【提出日】平成27年10月14日(2015.10.14)
【手続補正１】
【補正対象書類名】実用新案登録請求の範囲
【補正対象項目名】全文
【補正方法】変更
【補正の内容】
【実用新案登録請求の範囲】
【請求項１】
不織布で構成されたマスクの裏面が薄いピンクで  使用時  顔面のファンデーション移りが目立たないマスク
(57)【要約】      （修正有）【課題】ハード素材のルアーにおいて、ルアーの泳ぎに複数のしなりの支点を伴ったしなやかさ・柔軟性を与え、より本物の魚の泳ぎに近づけて釣果を上げるようにしたルアーを提供する。【解決手段】魚体の前半部を模したハード素材のルアー本体１に、ルアー後半から尾ひれ部をソフト素材によって一体成形したパーツ２を取り付けることによって、ルアー後半から尾ひれ先端までがしなやかに曲がり、ボディー全体の動きも複数のしなりの支点を伴って自然に折れ曲がらせることができる。【選択図】図１
0003201944.tif 000002
【実用新案登録請求の範囲】
【請求項１】
・魚体の前半部を模したハード素材ルアー本体と、それに装着する魚体の後半から尾ひれ部を模してソフト素材で一体成形したパーツとの構成からなるルアー。
【考案の詳細な説明】
【技術分野】
【０００１】  本考案は、ハード素材ルアーの魚体でいう後半から尾ひれ部に、それを一体成形したソフト素材パーツを取り付けることによって、ルアー前半の動きに合わせてその部分が複数のしなりの支点を伴ってしなやかに曲がり、魚体の後半部から折り曲げる本物の魚の泳ぎに近づけるルアーの開発に関するものである。
【背景技術】
【０００２】  ハード素材ルアーにおいて、尾ひれの外観上・機能上の重要性は認知されており、本物の魚の尾ひれに近づけるため、尾ひれ部のみをソフト素材で成形したパーツを取り付けるのが主流である。本物の魚が魚体後半から動かせて泳ぐということに着眼されることなく、尾ひれ部を含むルアー後半を一体成形したソフト素材であてがうという発想に至らなかったと考える。
【考案の概要】
【考案が解決しようとする課題】
【０００３】  尾ひれ部のみがソフト素材で取り付けられている場合、先端部だけがわずかに曲がる程度で、その動きはしなやかさに欠けた不自然なもので、本物の魚の泳ぎとは明らかに異なった機械的・単調なものとなっている。学習能力の高い魚もその違和感を敏感に感じ取り、そのようなルアーの釣果は年々厳しいものとなっている。本考案はこの課題を解消するためになされたものである。
【課題を解決するための手段】
【０００４】  魚体の後半から尾ひれ部までを一体成形により模したパーツ２をソフト素材によって作製して、その取り付けの突起４をハード素材のルアー本体１に装着させる。しなりの効果を強めたい場合やルアーの種類によって、切れ込み３を入れる。
【考案の効果】
【０００５】  ルアー前半の左右の動きに連動して、ルアー後半から尾ひれ部を複数のしなりの支点を伴って折り曲げるように泳ぐことが可能となり、本物の魚の泳ぎの運動に極めて近づくため、魚に違和感や警戒心を与えることなく必然的に釣果の向上が期待できる。
【考案を実施するための形態】
【０００６】  以下、本考案の実施の形態について説明する。
（イ）ルアー本体１に、ソフト素材による魚体の後半から尾ひれ部までの一体成型パーツ２を取り付ける。
【図面の簡単な説明】
【０００７】
【図１】ルアーを側面から見て、魚体の後半から尾ひれ部までを模したソフト素材パーツ２を取り付けた平面図である。
【図２】ルアーを上から見て、魚体後半から尾ひれ部までを模したソフト素材パーツ２を取り付けた平面図である。
【図３】ルアーを上から見て、泳いだ時に複数のしなりの支点で湾曲する様子を示した平面図である。
【符号の説明】
【０００８】１  ルアー本体
２  魚体の後半から尾ひれ部までを一体成形により模したソフト素材パーツ
３  切れ込み
４  取り付けの突起
５  しなりの支点
【図１】
0003201944.tif 000003
【図２】
0003201944.tif 000004
【図３】
0003201944.tif 000005
(57)【要約】      （修正有）【課題】ほとんどの軽乗用車用と大型乗用車用に提供、取付も個人で出来、使用、不使用も簡単に出来、使用時落ちる事なく、収納もスライド式で車内天井と容易である引出フロントガードを提供する。【解決手段】プラスチック製のスライド板２と日よけシートを収納箱１に入れ、収納箱に設けたスライド溝７によりスライド板を引出し可能とするとともに、スライド板に設けたスライド溝により日よけシートを引出し可能とし、収納箱を自動車内天井に取り付ける取付金具５を収納箱に設ける。長さをスライド調節出来、軽乗用車、大型乗用車用と提供し車内天井に小スペースで収納箱を取付、その収納箱よりフロントガラス日よけシートが引出し出来、駐車時、乗用車に個人でも簡単に取付可能である。また、使用時も外れ落ちる事が無く使用出来、不使用時の収納も収納場所にも困らず出し入れが簡単である。【選択図】図３
0003201941.tif 000002
【実用新案登録請求の範囲】
【請求項１】
自動車フロントガラス日よけ自体を車内天井収納箱を取付け、その収納箱から車内天井より直線的にシートを出しフロント部日よけとして使用出来、、フロント部日よけ不使用時はシートを車内天井収納箱に収納が簡単に出来、軽自動車、普通乗用車、ワンボックス車に個人で取り付け可能なことの出来る構造を有する自動車フロントガラス日よけシート。
【考案の詳細な説明】
【技術分野】
【０００１】本考案は車内の温度上昇を緩和する為の自動車フロント部日よけに関するものである。
【背景技術】
【０００２】日よけ巾寸法が固定で収納場所がなく不使用時の置き場所が困難であった。
【考案の開示】
【考案が解決しようとする課題】
【０００３】日よけ巾寸法が１定の為各１車ずつ違う寸法巾の日よけが必要で有り、取付も吸盤等で、落ちたりして日よけの効果があまり得られなかった。
【課題を解決するための手段】
【０００４】日よけ自体を分割にし、長さをスライド調節出来、既製品でほとんどの軽乗用車用、大型乗用車に取付出来る様、そして使用方法も車内内装の隙間に差し込み取付るだけで、落ちたりする事がしにくい前述の欠点を解決しようとするものである。
【考案の効果】
【０００５】上述の様に、本考案の引出フロントガードは、ほとんどの軽乗用車用と大型乗用車用に提供、取付も個人で出来、使用、不使用も簡単に出来、使用時落ちる事なく、収納もスライド式で車内天井と容易である。
【考案を実施するための最良の形態】
【０００６】この引出フロントガードは、巾が折りたたみ出来る事によって使用時広く、収納時コンパクになりスライド使用、スライド収納が出来るので、軽自動車用、または大型乗用車用と個人が簡単に取付出来、使用、不使用も簡単で、駐車時直射日光を妨げ車内の温度上昇緩和に効果がある。
【実施例】
【０００７】以下、添付図面に従い実施例を説明する。１はプラスチック製のスライド、板と日よけシートの収納箱を５のステンレス製の取付金具で車内天井に収納箱を取付し、不使用時は２、３を収納箱に納め６で飛び出し防止収納ロックで通常走行し、駐車時は収納箱より７のスライド溝で２スライド板、３日よけシートを引出し日よけとして使用する、その時２は日よけシートと収納箱間のスライド調節用の軟プラスチック製のスライド板でスライドをスムーズに行える、３は駐車時フロント部日よけ用軟プラスチック製の日よけシートとして引出て使用、４は巾を広げる折り畳み可能な軟プラスチック製折りたたみ式拡張板を最後に広げて使用する。
【産業上の利用可能性】
【０００８】
【図面の簡単な説明】
【０００９】
【図１】  引出フロントガード全体平面図である。
【図２】  引出フロントガード全体側面図である。
【図３】  引出フロントガード車内天井取付使用時平面図である。
【図４】  引出フロントガード車内取付収納時平面図である。
【符号の説明】
【００１０】    １      収納箱
２      スライド板
３      ガード板
４      折りたたみ式拡張板
５      取付金具
６      収納ロック
７      スライド溝
８      外れ止めボタン
【図１】
0003201941.tif 000003
【図２】
0003201941.tif 000004
【図３】
0003201941.tif 000005
【図４】
0003201941.tif 000006
【手続補正書】
【提出日】平成27年8月18日(2015.8.18)
【手続補正１】
【補正対象書類名】実用新案登録請求の範囲
【補正対象項目名】全文
【補正方法】変更
【補正の内容】
【実用新案登録請求の範囲】
【請求項１】
透明では無い色付きの厚さ１ｍｍ程度のポリエステル製の約８００ｍｍ×６００ｍｍの板２枚を重ねて収納箱に入れ、そのポリエステル製の２枚を段違いに引き出し、押し入れする収納箱自体を自動車内天井に取付出来る組み合わせからなる引出フロントガード。
【手続補正書】
【提出日】平成27年10月22日(2015.10.22)
【手続補正１】
【補正対象書類名】実用新案登録請求の範囲
【補正対象項目名】全文
【補正方法】変更
【補正の内容】
【実用新案登録請求の範囲】
【請求項１】
プラスチック製のスライド板と日よけシートを収納箱に入れ、収納箱に設けたスライド溝によりスライド板を引出し可能とするとともに、スライド板に設けたスライド溝により日よけシートを引出し可能とし、収納箱を自動車内天井に取り付ける取り付け金具を収納箱に設けることを特徴とする引出フロントガード。
(57)【要約】      （修正有）【課題】本考案は、端子付きキャップを用いることにより、ヒューズの外観、仕上げ、生産性の向上及びコストダウンを図ることができるボタンダウンヒューズを提供する。【解決手段】本考案は、矩形状の良導体金属板をプレス加工し、下面、垂直面及び上面となるように曲げ加工した二段式金属端子板１とカップ状金属キャップ２を鳩目３によりかしめ固定した端子付キャップを用い、これらに耐熱性絶縁筒４を固定するとともにこの絶縁筒内部に金属可溶体５を配置させ、前記端子板の垂直面の鳩目及び上面にの孔部に所定量のはんだ２０を流し込んで接合したヒューズの提供。【選択図】図３
0003201960.tif 000002
【実用新案登録請求の範囲】
【請求項１】
耐熱性絶縁材からなる筒の両端に導電性金属キャップにＬ字状の金属端子板を一体化した基板取付け形ヒューズにおいて、矩形状の所定寸法にプレス加工し、下面、垂直面及び上面となるように曲げ加工した二段式金属端子板を形成するとともに、この金属端子板の垂直面中央部の穿孔とカップ状金属キャップの端面中央部の穿孔を合致させ、これらを鳩目でかしめ固定した端子付きキャップとし、この端子付きキャップに耐熱性絶縁筒を嵌着し、前記二段式金属端子板の垂直面の穿孔に金属可溶体を挿通させて縁筒内に配置させ、所定量のはんだにより前記金属端子板左右の垂直面穿孔及び上面の穿孔を接合し、前記二段式金属端子板の下面には取付け寸法（軸方向）Ｉに裕度を持たせるように溝部を設けて構成したボルトダウンヒューズ。
【考案の詳細な説明】
【技術分野】
【０００１】本考案は産業電気機器の電源部基板等に用いられる比較的電流容量の大きい端子板を有するヒューズの改良に関するものである。
【背景技術】
【０００２】従来、この種の端子板を有するヒューズは可溶体を内蔵した耐熱性絶縁材からなる円筒の両端に導電製金属キャップを嵌着した通常のヒューズを直接基板に取付けができるように、Ｌ字状の金属端子板を一体化させたものが公知とされている。具体的には、図４のように金属キャップ（イ）の端面に直角に曲げた端面と同寸法の幅を有するＬ字状の端子板（ロ）をリベット（ハ）で固定後、これらの接触隙間箇所にはんだ（ニ）を流し込んで前記金属キャップとＬ字状の端子板を一体化することで電流導電部を形成し、耐熱性絶縁筒（ホ）に嵌着した状態で、この内部に金属可溶体（ヘ）を配置しはんだ（ニ）で固定したものである。【０００３】上述のものにおいては、次のような問題点があった。
（１）金属キャップとＬ字状の端子板の接続位置決めにリベットによるかしめ工程が必須      となり生産性が悪い。
（２）接合強度を得るためにはんだ量が多くなりコストアップになる。
（３）金属キャップとＬ字状の端子板の接触隙間に流し込むはんだ量に凸凹があり、外観      、仕上がりが芳しくない。
（４）Ｌ字状の端子板の取付け穴が丸穴のため、軸方向に裕度がなくフレキシブルな対応      ができない。
【考案の概要】
【考案が解決しようとする課題】
【０００４】本考案はこのような従来品から生じてくる問題を解決しようとするものであり、矩形状の良導体金属板にプレス加工し、下面、垂直面及び上面となるように曲げ加工した二段式金属端子板と金属キャップを鳩目によりかしめ固定した端子付きキャップを用い、これらに耐熱性絶縁筒を固定するとともにこの絶縁筒内部に金属可溶体を配置させ、前記端子板の垂直面の鳩目及び上面の孔部に所定量のはんだを流し込んで接合することで上記の問題点を払拭することを目的とする。
【問題を解決するための手段】
【０００５】本考案は上記目的を達成するために耐熱性絶縁材からなる筒の両端に導電性金属キャップにＬ字状の金属端子板を一体化した基板取付け形ヒューズにおいて、矩形状の所定寸法にプレス加工し、下面、垂直面及び上面となるように曲げ加工した二段式金属端子板を形成するとともに、この金属端子板の垂直面中央部の穿孔とカップ状金属キャップの端面中央部の穿孔を合致させ、これらを鳩目でかしめ固定した端子付きキャップとし、この端子付きキャップに耐熱性絶縁筒を嵌着し、前記二段式金属端子板の垂直面の穿孔に金属可溶体を挿通させて縁筒内に配置させ、所定量のはんだにより前記金属端子板左右の垂直面穿孔及び上面の穿孔を接合し、前記二段式金属端子板の下面には取付け寸法（軸方向）  に裕度を持たせるように溝部を設けて構成したボルトダウンヒューズを提供する。
【考案の効果】
【０００６】二段式金属端子板の上面の穿孔からカップ状キャップの円周部に接合時に溶融するはんだはあらかじめ定量としており、極端な凹凸部分もなく、外観及び仕上げが良好で、かつ、接合強度も保持できる。
垂直面とカップ状キャップのリベット位置決めが削除されたことで、かしめ工程がなくなり、作業効率が良好になる。
【図面の簡単な説明】
【０００７】
【図１】本考案の端子付きキャップ分解斜視図
【図２】本考案のボルトダウンヒューズの組立て斜視図
【図３】本考案のボトルダウンヒューズ完成品の斜視図
【図４】従来の端子付きヒューズの斜視図
【実施例】
【０００８】以下、本考案のボルトダウンヒューズの一実施例を図１から図３について説明する。
図１はボルトダウンヒューズの端子付きキャップ分解斜視図であるが、この図において、良導体金属材の黄銅板を矩形状の所定寸法（幅、全長、孔１ｅ，１ｆ及び溝１ｇ）にプレス加工し、下面１ａ、垂直面１ｂ及び上面１ｃとなるように曲げ加工したいわゆる二段式金属端子板１と端面の中央に孔２ａを穿ったカップ状金属キャップ２を鳩目３でかしめ固定した端子付きキャップを用いる。
なお、この端子付きキャツプは左右共通に用いられる。【０００９】図２は本考案のボルトダウンヒューズの組立斜視図であり、前図１の端子付きキャップを耐熱性絶縁材からなる筒（例えば、ガラス、セラミックス等）４に左右から被せて接着剤により嵌着後、所定の定格電流に対応する金属可溶体５を前記端子付きキャップの垂直面１ｂの孔１ｅにかしめ固定した鳩目３から挿通させ、筒４内に配置した後、それぞれの孔１ｅ，１ｆがはんだにより接合される。【００１０】図３は本考案のボルトダウンヒューズの完成品の斜視図であるが、前図２の左右の端子付きキャップの垂直面孔１ｅ，１ｆは所定量のはんだ２０により凹凸を生じることなく接合され、外観的にも良好な仕上がりとなる。【００１１】本考案のボルトダウンヒューズの一実施例は、以上のように構成されたものであり、二段式金属端子板の左右の溝１ｇにねじまたはボルトを差し込んで締め付け固定しても機械的に外れることはない。
また、前記金属端子板の下面も扁平状態で基板パターント等と接触されることから安定した密着状態で電流供給を行うことが可能となる。
さらに、軸方向の取付けピッチ寸法に対してもこれまでの丸穴と違い溝としたことで、寸法裕度が得られることから取付け条件が緩和される。
【符号の説明】
【００１２】  １  二段式金属端子板
２  カップ状金属キャップ
３  鳩目
４  耐熱性絶縁筒
５  金属可溶体
２０  はんだ
【図１】
0003201960.tif 000003
【図２】
0003201960.tif 000004
【図３】
0003201960.tif 000005
【図４】
0003201960.tif 000006
(57)【要約】      （修正有）【課題】器具の固定や取り外しが容易になる低周波治療器用線型極小電極を提供する。【解決手段】低周波治療対象となる人体各部位の形状は千差万別なので、それらに最も適した形の薄くて柔軟性のある合成樹脂製シート２を数種類（短冊型、長方形型、楕円型）を用意しておき、その表面に複数の線型極小電極１を電源の（＋）（−）のバランス及び電源コード３の捩れを考慮して接着する。これを使用する時は身体の治療部位に適した形のシートを選んだ後、電極の通電部１をツボ（経穴）や圧痛点、反応点に密着させ固定用ベルトや重しで固定し通電する。【選択図】図３
0003201955.tif 000002
【実用新案登録請求の範囲】
【請求項１】
合成樹脂素材のシート（２）上に複数連結設置された低周波治療器用線型極小電極（１）
【考案の詳細な説明】
【技術分野】
【０００１】この考案は、シート上に複数連結設置した低周波治療器用線型極小電極に関するものである。
【背景技術】
【０００２】現在治療院で使用されている低周波治療器用電極には広い範囲を刺激できる５００円玉から名刺大の大きさの「平面型」と狭い範囲を刺激できる長さ１０ミリ、幅２ミリ大の「線型」それと先端が楔状に尖った形をしている「点型」の３タイプがあり症状や部位に応じて使い分けられている。  この内開発の歴史が古い「平面型」や「点型」は器具を固定するための専用道具が存在しているので使用時不自由しないのですが、つい最近登場した「線型」にはそれがなく利用者から使い勝手の良い専用固定方法の開発を熱望されていた。
【先行技術文献】
【特許文献】
【０００３】
【考案の概要】
【考案が解決しようとする課題】
【０００４】市販されている「線型」電極は一つの電源から出たコードが（＋）側と（−）側に分かれており、それが更に二股に分かれているので合計４個の電極を人体各部の形に合わせて固定するのに相当な手間と時間を要していた。本考案は以上のような欠点を改善するためになされたものである。
【課題を解決するための手段】
【０００５】低周波治療対象となる人体各部位の形状は千差万別なので、それらに最も適した形の薄くて柔軟性のあるシート（２）を数種類用意しておき、その表面に複数の線型極小電極（１）を電源の（＋）（−）のバランス及びコード（３）の捩れを考慮して接着する。
本考案は以上の構成よりなる低周波治療器用連結線型極小電極である。
【考案の効果】
【０００６】線型極小電極をシート上に連結設置することによって生じる効果は器具の固定や取り外しが容易になるだけでなく極狭い範囲に集約して流れる低周波電流を利用して漢方における鍼や灸のようなツボ（経穴）刺激も可能になります。  現在判明している線型電極を使用した効能は背中への刺激で喘息が治まり、踵への刺激で足底腱膜炎からくる激しい痛みと腫れ＋骨棘が消失し、側頭部への刺激で突発性難聴が改善したり（その他）がありますが、それプラス鍼灸治療で禁忌とされている骨部への刺激が問題なくできるところが大きな利点です。
なぜ線型電極にこの様な医療効果が表れるかというとツボ（経穴）部のみに集約して流れる低周波電流が身体の奥深くまで浸透していくからだと考えられます。  事実、線型電極に通電していると数分から数十分で身体が温かくなっていくのが実感されます。
【図面の簡単な説明】
【０００７】
【図１】  本考案の短冊型シート側面図（上）正面図（下）
【図２】  本考案の長方形型シート正面図である。
【図３】  本考案の楕円型シート正面図（左）（右）である。
【考案を実施するための形態】
【０００８】以下本考案を実施するための形態について説明する。
低周波治療対象となる人体各部位の形状は千差万別なので、それらに最も適した形の薄くて柔軟性のある合成樹脂製シート（２）を数種類（短冊型、長方形型、楕円型）を用意しておき、その表面に複数の線型極小電極（１）を電源の（＋）（−）のバランス及び電源コード（３）の捩れを考慮して接着する。本考案は以上の構成よりなる低周波治療器用連結線型極小電極である。
これを使用する時は身体の治療部位に適した形のシートを選んだ後、電極の通電部（１）をツボ（経穴）や圧痛点、反応点に密着させ固定用ベルトや重しで固定し通電する。
【符号の説明】
【０００９】    １  線型極小電極通電部
２  合成樹脂シート
３  電源コード
【図１】
0003201955.tif 000003
【図２】
0003201955.tif 000004
【図３】
0003201955.tif 000005
(57)【要約】      （修正有）【課題】家系の崩壊、お墓の形態の変遷、高齢化社会などによる墓守困難から無縁遺骨が増加している課題を解決する墓を提供する。【解決手段】遺骨収納カロート石塔１と埋蔵墓４を合体した墓であって、家族墓の墓守が継続される期間は正面中央の雛壇に設置されたカロート石塔１で供養し後継者なき後は左右両側の埋蔵墓４に石塔２と一族のご遺骨をカロート３から出して移動し、ご遺骨は土に還す形態である。【選択図】図１
0003201953.tif 000002
【実用新案登録請求の範囲】
【請求項１】
遺骨収納カロート石塔と埋蔵墓を合体した墓。
【考案の詳細な説明】
【技術分野】
【０００１】  本考案は、日本古来の石塔と遺骨を収納するカロートを一体化したカロート石塔を家族墓として供養し、後継者なき後は、隣接する遺骨埋蔵墳墓に遺骨を埋蔵し、その上に石塔を移動して永代供養するお墓の啓発に関わるものである。
【背景技術】
【０００２】  家系の崩壊、核家族化が進み、お墓の形態も変遷したことが背景となり、先祖代々の家族墓の遺骨を寺墓地の合祀墓に移動する、通称墓じまいが増えています。更に、永代供養墓がない公営墓地、集落墓地では墓守が絶えた家族墓に無縁遺骨が取り残され年毎に増加している。
【先行技術文献】
【非特許文献】
【０００３】
【非特許文献１】遺骨の収納、埋蔵対応として、寺墓地には合祀墓があって遺骨を無縁塔に収納する方法があり近年都市霊園では、樹林墓地、樹木墓地、合葬墓地に埋蔵する方法もあるが、無縁遺骨として粗末に処理しているようで先祖供養の尊厳から違和感を禁じ得ない。
【考案の概要】
【考案が解決しようとする課題】
【０００４】  解決しようとする問題点は、家系の崩壊、お墓の形態の変遷、高齢化社会などによる墓守困難から無縁遺骨が増加していることが課題である。
【課題を解決するための手段】
【０００５】  本考案は、墓地内に正面中央部に雛壇型の台座をつくり石塔と収骨部を一体化したカロート石塔、家族墓を雛壇に並列に設置して、建墓者は墓参可能な限り供養し後継者なき後は左右両側の埋蔵墳墓に、ご遺骨と石塔を移動して、宗教法人、ＮＰＯ法人等で管理し永代供養されることで課題が解決される。
【考案の効果】
【０００６】  本考案は、建墓者はお墓の維持管理の心配もなく自分の都合に合わせて墓参りすればいいので県外に在住の方々にとって安心度は高く、そして最期の後継者の死亡を期して家族墓のご遺骨と一緒に埋蔵墳墓のシラス土壌に埋蔵し、その上に石塔を安置して永代供養されるので無縁遺骨を有縁遺骨化する効果がある。【０００７】  本考案は、墓じまいの風潮で公営墓地、集落墓地では高価な家族墓地が空洞化し、特に山村集落墓地は荒廃するなか、死後は故郷の土に還りたいとの思いを充足する為、需要度の高い霊園に遺骨収納、埋蔵墓を構築して、地域創生と墓地環境保全に貢献する相乗効果がある。【０００８】  本考案は、一家族墓の墓地使用面積が、カロート墓石建付面積、石塔建付面積と通路で形成され墓地を有効に活用できるので、お墓の維持管理費も削減され実用的で建墓者の負担も格安なので当法人が運営する永代供養霊園に構築して実績を重ね、他霊園にも普及して多死社会に対応できるお墓の啓発に役立つ。【０００９】
【図面の簡単な説明】
【００１０】
【図１】本考案の遺骨収納埋蔵墓の実施例を示す正面図
【図２】カロート石塔の正面図
【図３】石塔の正面図
【図４】カロート（遺骨収納堂）の正面図
【考案を実施するための形態】
【００１１】  家族墓の墓守が継続される期間は正面中央の雛壇に設置されたカロート石塔で供養し後継者なき後は左右両側の埋蔵墳墓に石塔と一族のご遺骨をカロートから出して移動し、ご遺骨は土に還す形態である。
【実施例１】
【００１２】  本考案の実施図面に基づいて説明する。図１に示すように、墓地内の墓参りに便利な場所に正面中央部に８雛壇の台座をつくり、左右両側に４土壌で埋め立てた埋蔵墓を造り、後部中央に５象徴体台座を造り、正面中央に６供養台で構成する外形を造り、図２のカロート石塔を８雛壇台座に並列に設置し、後継者なき後は図３の石塔と図４のカロートから出した７ご遺骨を図１の４土壌で埋め立てた埋蔵墓へ移動する。図１の５には象徴体を安置し、図１の６供養台に生花供養物を供えて合同供養を行う。【００１３】
【符号の説明】
【００１４】１  カロート石塔
２  石塔
３  カロート
４  土壌で埋め立てた埋蔵墓
５  象徴体の台座
６  供養台
７  ご遺骨
８  雛壇台座
【図１】
0003201953.tif 000003
【図２】
0003201953.tif 000004
【図３】
0003201953.tif 000005
【図４】
0003201953.tif 000006
(57)【要約】      （修正有）【課題】軽い尿もれのための使い捨て男性用紙パンツをはいたまま、立って支障なく自然に小用をたすことができる使い捨て紙パンツを提供する。【解決手段】軽い尿もれのための男性用使い捨て紙パンツ１に男性用下着と同じ男性器を出す穴２をあける。【選択図】図１
0003201954.tif 000002
【実用新案登録請求の範囲】
【請求項１】
軽い尿もれのための男性用使い捨て紙パンツに男性用前あきブリーフと同じ構造の男性器を出す穴をあけることを特徴とする男性器が出せる穴のあいたブリーフ型の使い捨て紙パンツ
【考案の詳細な説明】
【技術分野】
【０００１】  本考案は、従来の使い捨て紙パンツに男性向けの、ブリーフのように男性器が出せる穴の空いた使い捨て紙パンツに関するものである。
【背景技術】
【０００２】  従来、軽い尿もれのための使い捨て男性用紙パンツには、穴が開いていなかった。男性が前記パンツをはいて小用をたすには洋式便器に座るもしくは、ずり下げるしかなかった。
【考案の概要】
【考案が解決しようとする課題】
【０００３】  軽い尿もれのための使い捨て男性用紙パンツをはいたまま、立って支障なく自然に小用をたす。
【課題を解決するための手段】
【０００４】  本考案は、軽い尿もれのための男性用使い捨て紙パンツにブリーフと同じように男性性器を出す穴を開ける。
【考案の効果】
【０００５】  軽い尿もれのための男性用使い捨て紙パンツをはいたまま立って自然に小用をたすことができる。心理的な面においては女性と同じ形の前記使い捨て紙パンツをはかせられるということは、男性の尊厳を傷つけることにつながり、屈辱を覚える男性も少なからず存在すると思われる。男性専用の使い捨て紙パンツを提供することで、男性としてのアイデンティティーの擁護につながる。さらに、洋式便器の普及によって男性が座って小用をたすことを強要されるということが増えているという。一説によると、男性性器の構造から言って、座って用をたすと残尿に問題があり体に悪い影響を及ぼす可能性もあるらしい。そして、女性と同じ姿勢で用をたすということが、男性のアイデンティティを削ぎ男性の女性化に影響を及ぼしている可能性もありえる。男性専用の使い捨て紙パンツを提供することで、男性の尊厳及び健康を軽んじるような小用問題に一石を投じることに繋げる。
【図面の簡単な説明】
【０００６】
【図１】男性性器を出す穴を開けた軽い尿もれのための男性用使い捨て紙パンツ
【考案を実施するための形態】
【０００７】  軽い尿もれのための男性用使い捨て紙パンツに男性器を出す穴があいたブリーフと同じ構造の穴を開ける。
【実施例】
【０００８】  以下添付図に従って、一実施例を説明する。１は、軽い軽い尿もれのための男性用使い捨て紙パンツの本体であり、２は、男性器を出す穴である。
【符号の説明】
【０００９】  １  軽い尿もれのための男性用使い捨て紙パンツ本体
２  男性器を出す穴
【図１】
0003201954.tif 000003
(57)【要約】      （修正有）【課題】ゴルフ素振り練習時において、打撃位置でのゴルフクラブヘッドの高さが点検でき、練習の効果が向上するゴルフ練習器具を提供する。【解決手段】ゴルフ素振り練習時にゴルフボールに代えて打撃位置付近に配置する器具で、固定台１の上に弾力性の傾斜板２を取付けた構造にして、素振り時にゴルフクラブヘッド３が傾斜板２の上部を打撃擦過するようにする、同ヘッド３が高いと傾斜板２と同ヘッド３の重なりが少ないため打撃擦過音が小さく、逆に同ヘッド３が低いと傾斜板２と同ヘッド３の重なりが多いため打撃擦過音が大きくなる。この打撃擦過音の大小の程度により同ヘッド高さを点検することで練習の向上に役立つ。【選択図】図１
0003201910.tif 000002
【実用新案登録請求の範囲】
【請求項１】
ゴルフ素振り練習時にゴルフボールに代えて打撃位置付近に配置する器具において、固定台の上に弾力性材質の傾斜板を取付けた構造で、ゴルフ素振り時のゴルフクラブヘッドが傾斜板の上部を打撃擦過するとき、同ヘッドの高低により打撃擦過音の大小が生じ、この打撃擦過音の大小の程度で同ヘッド高さを点検することを特徴とするゴルフ練習器具。
【考案の詳細な説明】
【技術分野】
【０００１】
本考案はゴルフ練習器具に関するものである。
【背景技術】
【０００２】
ゴルフ素振り練習では打撃位置でのゴルフクラブヘッドの高さが素振り毎に同じ高さになっているか不明である。
【考案の概要】
【考案が解決しようとする課題】
【０００３】
ゴルフ素振り練習において、打撃位置でのゴルフクラブヘッドの高さが点検できる器具があると練習の効果が向上する。
【課題を解決するための手段】
【０００４】
上記の課題を解決するために、本考案ではゴルフ素振り練習時にゴルフボールに代えて打撃位置付近に配置する器具で、固定台の上に弾力性材質の傾斜板を取付けた構造の器具にして、素振り時のゴルフクラブヘッドが傾斜板の上部を打撃擦過するようにした。
【０００５】
この器具を配置し素振りをするときゴルフクラブヘッドが高いと傾斜板と同ヘッドの重なりが少ないため打撃擦過音が小さく、逆に同ヘッドが低いと傾斜板と同ヘッドの重なりが多いため打撃擦過音が大きくなる。この打撃擦過音の大小の程度で同ヘッド高さを点検するようにした。
【考案の効果】
【０００６】
これにより簡単な構造でゴルフ素振り練習時のゴルフクラブヘッドの高さを点検できる利点があり、また打撃擦過音が発生することで素振り練習に手応えを感じさせられる利点があり、さらに軽量のため練習場所に手軽るに持運びできる利点がある。
【図面の簡単な説明】
【０００７】
【図１】本考案ゴルフ素振り時ヘッド高さ点検器具の斜視図を表す。同図では使用法を理解しやすいようにゴルフクラブヘッドを書き加えた。
【考案を実施するための形態】
【０００８】
図１に本考案ゴルフ素振り時ヘッド高さ点検器具の斜視図を表す。本考案器具は図１に示すように固定台１に弾力性の傾斜板２を取付けた構造である。図１のゴルフクラブヘッド３は傾斜板への打撃状態の説明のために記入したものである。傾斜板２はゴルフクラブヘッドが打撃したときに曲がり、ヘッドが滑らかに移動できるように弾力性の材質にした。
【符号の説明】
【０００９】
１  固定台
２  傾斜板
３  ゴルフクラブヘッド
【図１】
0003201910.tif 000003
(57)【要約】      （修正有）【課題】コーヒーを飲む時、スプーンを乗せるための受け皿を必要とせず、両手がふさがることがないカップを提供する。【解決手段】カップ１の側面に、スプーン３を付け外し出来る取り付け部４を設ける。【選択図】図１
0003201816.tif 000002
【実用新案登録請求の範囲】
【請求項１】
カップの側面にスプーンを付け外し出来る開口部のある取り付け部を設け、スプーンの上部を少し持ち上げながら開口部よりスライドさせスプーンを外し、カップ内を攪拌した後スプーンの上部をスプーン取り付け部の上に入れながら開口部にスライドさせ、スプーンを取り付け部に取り付ける事を特徴とする受け皿のいらない、側面にスプーンを取り付けたカップ。
【考案の詳細な説明】
【技術分野】
【０００１】本実用新案は、コーヒーカップ等の受け皿がいらないカップの構造である。
【背景技術】
【０００２】コーヒーには受け皿が付いているが、なんの為かと思うに攪拌するスプーンを置くためであるが、本実用新案であれば受け皿を無くす事が出来る。
【実用新案の開示】
【実用新案が解決しようとする課題】
【０００３】立食パーテーでは受け皿を持ちコーヒーを飲んでいるが、本カップではその必要がない。
【課題を解決するための手段】
【０００４】本考案は、カップの側面に攪拌するスプーン等を取り付ける取り付け部を設ける。
【考案の効果】
【０００５】上記のように受け皿を持ってコーヒー等を飲む事がない。
【考案を実施するための最良の形態】
【０００６】カップの側面にスプーン等を差し込む取り付け部を設ける。
【実施例】
【０００７】図のカップ１の把手２の反対側に、スプーン３を差し込む取り付け部４を設け、スプーン３の上部を開口部５にスライドさせ差し込む。スプーン３は上部を少し上に引き上げ開口部５に横にスライドさせると外れ、スプーンにてカップ１の中を攪拌し終わるとスプーン３の上部を取り付け部４に差し込みながら開口部５にスライドして取り付ける。以上のようにスプーンがカップに取り付けてある為受け皿が不用になる。
【図面の簡単な説明】
【０００８】
【図１】  本カップの側面図
【図２】  本カップの平面図
【図３】  本カップの正面図
【符号の説明】１      カップ
２      把手
３      スプーン
４      スプーンの取り付け部
５      開口部
【図１】
0003201816.tif 000003
【図２】
0003201816.tif 000004
【図３】
0003201816.tif 000005
(57)【要約】      （修正有）【課題】振動や衝撃が加わる事でエアメーターがずれてしまい水平が保てなくなるという欠点をなくすフレッシュコンクリートの空気量測定用水平器を提供する。【解決手段】エアメーターを載せる水平器本体１とエアメーターを固定する為のクランプボルト４及び密着を図るエアメーター固定具３、本体の水平を保つ為の支点脚ノブボルト２とからなる。フレッシュコンクリートの空気量測定装置用水平器の鋼板上にエアメーターを置き横方向からクランプボルト４にて締付してエアメーターをエアメーター固定具３に当ててエアメーターを固定させたのち３つの支点脚ノブボルト２を回して上下に稼働させることにより水平をとる。【選択図】図１
0003201815.tif 000002
【実用新案登録請求の範囲】
【請求項１】
フレッシュコンクリートの空気量測定用水平器の鋼板上にエアメーターを置き横方向からクランプボルトにてエアメーターを固定させノブボルトをつけた３つの支点脚により水平をとれるようにしたことを特徴とする、フレッシュコンクリートの空気量測定用水平器。
【考案の詳細な説明】
【技術分野】
【０００１】  本考案はフレッシュコンクリートの空気量測定装置用（ワシントン型エアメーター：以下エアメーターと省略する）の水平器に関するものである。
【背景技術】
【０００２】  近年、コンクリート構造物の高速道路やトンネルなどの劣化が問題視されており、生コンクリートは施工の際、型枠の隅々や鉄筋の周囲にいきわたるのが望ましいが、軟すぎるとひび割れなどの原因になったり強度が出なかったりと、固練りでも軟練りでもよくないのでコンクリートの性質を十分に発揮できるように、国土交通省がエアメーターなどを用いる事を義務づけている。【０００３】  従来の水平器は３つの三角形の板を立てて円状に配置し傾斜面上にエアメーターを置いて水平を保っていました。
【考案の概要】
【考案が解決しようとする課題】
【０００４】しかしながら、従来の水平器は振動や衝撃が加わる事でエアメーターがずれてしまい水平が保てなくなるという欠点があった。
【課題を解決するための手段】
【０００５】  本考案は、以上のような従来の欠点に鑑み、フレッシュコンクリートの空気量測定装置用水平器の鋼板上にエアメーターを置き横方向からクランプボルト４にて締付してエアメーターを固定ゴム３に当ててエアメーターを固定させたのち３つの支点脚ノブボルト２を回して上下に稼働させることにより水平をとる。
【考案の効果】
【０００６】  以上の説明から明らかなように、本考案に係わるフレッシュコンクリートの空気量測定用水平器はエアメーターと固定することにより衝撃からの水平のずれを防ぐことができ、実用性に優れたものである。
【図面の簡単な説明】
【０００７】
【図１】本考案に係わるフレッシュコンクリートの空気量測定用水平器の平面図である。
【図２】本考案に係わるフレッシュコンクリートの空気量測定用水平器の屈曲前平面図である。
【考案を実施するための形態】
【０００８】  以下、本考案の実施の形態を図に基づいて説明する。
【実施例１】
【０００９】  図２に示すように、厚さ２．５ｍｍ厚の鉄板をレーザーカットなどで、くり抜きエアメーター固定用突起部を根元からＬ字型に屈曲させたのち、突起部の穴にクランプボルト４と支点脚ノブボルト２をナットで固定する。
【産業上の利用可能性】
【００１０】  空気量測定装置で水平をとる物であれば何れに適応可能である。
【符号の説明】
【００１１】１  水平器本体
２  支点脚ノブボルト
３  エアメーター固定具
４  クランプボルト
５  クランプボルト・エアメーター固定具用穴
６  支点脚ノブボルト用穴
７  突起部
【図１】
0003201815.tif 000003
【図２】
0003201815.tif 000004
(57)【要約】      （修正有）【課題】操作方式が柔軟に変動でき、使用寿命が長いこま玩具を提供する。【解決手段】台座１を含み、台座のトップにねじの胴部２が設置される。台座の上方には回転座３が設置される。回転座の底にねじの胴部を結合するねじ山孔４が設置される。台座の底には凸部５が設置され、凸部には装置孔５０１があり、装置孔にベアリングの玉６が取り付けられる。凸部の位置には蓋７が配置され、蓋に通気孔７０１がある。通気孔の孔径はベアリングの玉の径より小さい。ベアリングの玉は通気孔の外部に延びている。【選択図】図１
0003201872.tif 000002
【実用新案登録請求の範囲】
【請求項１】
こま玩具において、台座を含み、上述の台座の上面にねじの胴部が設置され、上述の台座の上方に回転座が設置され、上述の回転座の底部に上述のねじの胴部を嵌合するねじ山孔が設置され、上述の台座の底部に凸部が設置され、上述の凸部に装置孔があり、上述の装置孔にベアリングの玉が取り付けられ、上述の凸部の位置に蓋が嵌合され、上述の蓋に通気孔があり、上述の通気孔の孔径がベアリングの玉の径より小さく、上述のベアリングの玉が上述の通気孔の外部に延びていることを特徴とするこま玩具。
【請求項２】
請求項１に記載のこま玩具において、上述の回転座の円周面に位置づけ溝が設置されることを特徴とするこま玩具。
【請求項３】
請求項１に記載のこま玩具において、上述のベアリングの玉は、上述の装置孔の孔底に接触することを特徴とするこま玩具。
【請求項４】
請求項１に記載のこま玩具において、上述の台座の下端は球形であることを特徴とするこま玩具。
【考案の詳細な説明】
【技術分野】
【０００１】
本実用新案は一種こま玩具に関連する。
【背景技術】
【０００２】
こま玩具は一種非常にクラシックな玩具である。現有技術の中のこま玩具がマニュアル回転とマニュアルたたきの二つ形式を分ける。この二つの形式は融通を聞かせないから、現有技術の中にこまのエンターテイメント不足、多用途性も欠ける。
【考案の概要】
【考案が解決しようとする課題】
【０００３】
本実用新案は解決する技術問題は一種こま玩具を提供することである。この装置はマニュアルで回転する必要がある場合、回転座を分解しても結構。マニュアルで鞭をインストールする必要がある場合、回転を取り付けても結構。操作方式が柔軟に変動できて、同時に、そこのベアリングの玉は摩耗度によって取り換えて、使用寿命を長くする。
【課題を解決するための手段】
【０００４】
上述の問題を解決するため、本実用新案は以下の技術方案を採用する。一種こま玩具であり、台座を含まれて、上述の台座のトップにねじの胴部を設置される。上述の台座の上方に回転座を設置される。上述の回転座の底に上述のねじの胴部を配合するねじ山孔を設置される。在上述の台座の底に凸部を設置される。上述の凸部に装置孔がある。上述の装置孔にベアリングの玉を取り付けられる。上述の凸部の位置に蓋を配合される。上述の蓋に通気孔がある。上述の通気孔の孔径がベアリングの玉の径より小さい。上述のベアリングの玉が上述の通気孔の外部に延べる。
【０００５】
優先的な方案として、上述の回転座の円周面に位置づけ溝を設置される。
【０００６】
優先的な方案として、上述のベアリングの玉は上述の通気孔の向こうの端から離れて、上述の装置孔の孔底と近づく。
【０００７】
優先的な方案として、上述の台座の下端は球形である。
【考案の効果】
【０００８】
本実用新案の有益な効果は、この装置はマニュアルで回転する必要がある場合、回転座を分解しても結構。マニュアルで鞭をインストールする必要がある場合、回転を取り付けても結構。操作方式が柔軟に変動できて、同時に、そこのベアリングの玉は摩耗度によって取り換えて、使用寿命を長くする。本装置は構造が簡単で、コストも低いから、普及させるべきである。
【図面の簡単な説明】
【０００９】
【図１】本実用新案の構造説明図である。
【考案を実施するための形態】
【００１０】
下記は附図を結合して本実用新案の優先実施例を詳しく述べて、本実用新案のメリットと特徴をもっと容易に本分野の技術員に理解される。そして、本実用新案の保護範囲をより明らかにより明確な範囲を決める。
【００１１】
図1を参照して一種こま玩具であり、台座1を含まれて、上述の台座1のトップにねじの胴部2を設置される。上述の台座1の上方に回転座3を設置される。上述の回転座３の底に上述のねじの胴部2を配合するねじ山孔4を設置される。在上述の台座1の底に凸部5を設置される。上述の凸部5に装置孔501がある。上述の装置孔501にベアリングの玉6を取り付けられる。上述の凸部5の位置に蓋7を配合される。上述の蓋7に通気孔701がある。上述の通気孔701の孔径がベアリングの玉6の径より小さい。上述のベアリングの玉6が上述の通気孔701の外部に延べる。
【００１２】
本実用新案の中の良い実施例は、上述の回転座3の円周面に位置づけ溝311を設置される。
【００１３】
本実用新案の中の良い実施例は、上述のベアリングの玉6は上述の通気孔701の向こうの端から離れて、上述の装置孔501の孔底と近づく。
【００１４】
本実用新案の中の良い実施例は、上述の台座1の下端は球形である。
【００１５】
本実用新案の有益な効果は、この装置はマニュアルで回転する必要がある場合、回転座を分解しても結構。マニュアルで鞭をインストールする必要がある場合、回転を取り付けても結構。操作方式が柔軟に変動できて、同時に、そこのベアリングの玉は摩耗度によって取り換えて、使用寿命を長くする。本装置は構造が簡単で、コストも低いから、普及させるべきである。
【００１６】
以上の描写は単なる本実用新案の具体的な実施方式しかない。しかし、本実用新案の保護範囲はそこまで限定されない。どのような創造性の労働をしなく考えた変化や変更でも、本実用新案の保護範囲内に含まれるべきだ。だから、本実用新案の保護範囲は権利要求書に決められる保護範囲を基準とするべきだ。
【符号の説明】
【００１７】
1  台座
2  ねじの胴部
3  回転座
4  ねじ山孔
5  凸部
6  ベアリングの玉
7  蓋
【図１】
0003201872.tif 000003